(57)【要約】【課題】片手で容器を把持して注出計量操作を行うのに適しており、滑りがなく把持性が良好であり、内容物を注ぎ易い容器を提供する。【解決手段】容器本体２は、少なくとも、第１指が接する第１の側面５と、第１の側面５と対向するように設けられていて、第２指から第５指のいずれかの指が接する第２の側面６と、第１の側面５と第２の側面６とに連続して設けられた第３の側面７Ａとを有するとともに、グリップ部１１が設けられており、  グリップ部１１は、第１の側面５と第２の側面６との少なくとも一方または両方の側面に、指先が接する部分を凹ませて設けられた１以上の第１凹部９と、第３の側面７Ａに、第１の側面５と第２の側面６との間にわたって一部を切り欠くように凹ませて設けられた第２凹部１０とを有していることを特徴とするボトル容器１を提供する。【選択図】図１
0003134790.tif 000002
【実用新案登録請求の範囲】
【請求項１】
片手で容器本体を把持し、前記容器本体を傾けることで、収容した内容物を前記容器本体の上面に設けられた注出口から注出するためのボトル容器であって、
前記容器本体は、少なくとも、前記容器本体を片手で把持する際に第１指が接する第１の側面と、前記第１の側面と対向するように設けられていて、第２指から第５指のいずれかの指が接する第２の側面と、前記第１の側面と前記第２の側面とに連続して設けられた第３の側面とを有するとともに、グリップ部が設けられており、
前記グリップ部は、前記第１の側面と前記第２の側面との少なくとも一方または両方の側面に、指先が接する部分を凹ませて設けられた１以上の第１凹部と、前記第３の側面に、前記第１の側面と前記第２の側面との間にわたって一部を切り欠くように凹ませて設けられた第２凹部とを有していることを特徴とするボトル容器。
【請求項２】
前記第１凹部が、前記第３の側面側に凹となる略扇形環状体形状部分を含むことを特徴とする請求項１に記載のボトル容器。
【請求項３】
前記第１凹部の略扇形環状体形状部分に形成された指受縁部の曲率半径Ｒ１が３０〜１２０ｍｍであることを特徴とする請求項２に記載のボトル容器。
【請求項４】
前記第２凹部の最深部から前記第１凹部までの距離Ａ１が１０〜４５ｍｍであって、
前記第１凹部の深さＡ２が、前記第１の側面および／または前記第２の側面から２〜３０ｍｍであることを特徴とする請求項１〜３のいずれか一項に記載のボトル容器。
【請求項５】
前記第３の側面から前記第２凹部の最深部までの深さＢ１が、８〜４０ｍｍであることを特徴とする請求項１〜４のいずれか一項に記載のボトル容器。
【請求項６】
前記第１凹部と前記第２凹部の少なくとも一方または両方の表面に、エンボス形状又はリブ形状を有することを特徴とする請求項１〜５のいずれか一項に記載のボトル容器。
【請求項７】
前記注出口に注出筒を有するノズルキャップと計量キャップとを備えることを特徴とする請求項１〜６のいずれか一項に記載のボトル容器。
【請求項８】
前記収容した内容物が、液体洗浄剤組成物、液体化粧品組成物、液体薬品組成物または液体食品組成物であることを特徴とする請求項１〜７のいずれか一項に記載のボトル容器。
【考案の詳細な説明】
【技術分野】
【０００１】
本考案は、ボトル容器に関するものである。
【背景技術】
【０００２】
従来５００ｍＬ以上の容器では、容器を把持しやすいように容器本体に把手を付与していた（例えば特許文献１参照）。しかし、容器本体に把手を付与すると、樹脂量増加によるコストアップ、または表示面積が小さくなるといった容器設計・製造上の問題があり、さらに計量キャップに注ぎにくいという使用上の問題があった。
そのため、把手の代替技術として、ボトル全周に凹みを付与する方法や、容器の正・裏面に凹みを設けるという方法での解決が図られている。
【０００３】
特許文献２に記載の容器では、第１の凹部を設けられた容器側面の握り部分を片手で把持し、反対の手を容器下部に設けられた第２の凹部に添えて容器本体を両手で持つことが可能とされ、容器内の内容物を注ぎやすいとされている。
また、特許文献３に記載の容器では、容器本体の胴部高さ方向の中間部にウエスト部が形成され、良好なハンドリング性を確保しつつ、容器全体の軽量化が可能とされている。
【０００４】
しかしながら、内容物が液体洗浄剤、液体化粧料または液体食品等である場合は、容器からの吐出操作、特に計量キャップ、計量スプーンなどへの計量に際しては、本体容器を片手で把持して操作する必要がある。特許文献２に記載の容器では、２つの凹部を有しているが、両手で把持するために２つの凹部が離れて設けられているため、本体容器を片手で把持しての吐出操作が困難であり、特許文献３に記載の容器では、本体容器が５００ｍＬ以上の容量である容器においては、容器が大きく、滑りの問題が生じるために、片手で把持することが困難となっている。
特に内容物が液体洗浄剤、液体化粧料または液体食品等では、使用者は女性の場合が多く、現行技術では、把持性、滑り感、吐出操作性に不具合を感じている。
【特許文献１】実開平８−６１７１３号公報
【特許文献２】特開２００２−２８４１７６号公報
【特許文献３】特開２００５−１１２４４０号公報
【考案の開示】
【考案が解決しようとする課題】
【０００５】
本考案は、上記の課題を解決するためになされたものであって、片手で容器を把持して注出計量操作を行うのに適しており、滑りがなく把持性が良好であり、内容物を注ぎ易い容器を提供することを目的とする。
【課題を解決するための手段】
【０００６】
上記の目的を達成するために、請求項１にかかる考案は、片手で容器本体を把持し、前記容器本体を傾けることで、収容した内容物を前記容器本体の上面に設けられた注出口から注出するためのボトル容器であって、
容器本体は、少なくとも、容器本体を片手で把持する際に第１指が接する第１の側面と、第１の側面と対向するように設けられていて、第２指から第５指のいずれかの指が接する第２の側面と、第１の側面と第２の側面とに連続して設けられた第３の側面とを有するとともに、グリップ部が設けられており、
グリップ部は、第１の側面と第２の側面との少なくとも一方または両方の側面に、指先が接する部分を凹ませて設けられた１以上の第１凹部と、第３の側面に、第１の側面と第２の側面との間にわたって一部を切り欠くように凹ませて設けられた第２凹部とを有していることを特徴とするボトル容器である。
【０００７】
また、請求項２に係る考案は、第１凹部が、第３の側面側に凹となる略扇形環状体形状部分を含むことを特徴とする請求項１に記載のボトル容器である。
また、請求項３に係る考案は、第１凹部の略扇形環状体形状部分に形成された指受縁部の曲率半径Ｒ１が３０〜１２０ｍｍであることを特徴とする請求項２に記載のボトル容器である。
また、請求項４に係る考案は、第２凹部の最深部から第１凹部までの距離Ａ１が１０〜４５ｍｍであって、
第１凹部の深さＡ２が、第１の側面および／または第２の側面から２〜３０ｍｍであることを特徴とする請求項１〜３のいずれか一項に記載のボトル容器である。
【０００８】
また、請求項５に係る考案は、第３の側面から第２凹部の最深部までの深さＢ１が、８〜４０ｍｍであることを特徴とする請求項１〜４のいずれか一項に記載のボトル容器である。
また、請求項６に係る考案は、第１凹部と第２凹部の少なくとも一方または両方の表面に、エンボス形状又はリブ形状を有することを特徴とする請求項１〜５のいずれか一項に記載のボトル容器である。
また、請求項７に係る考案は、注出口に注出筒を有するノズルキャップと計量キャップとを備えることを特徴とする請求項１〜６のいずれか一項に記載のボトル容器である。
また、請求項８に係る考案は、収容した内容物が、液体洗浄剤組成物、液体化粧品組成物、液体薬品組成物または液体食品組成物であることを特徴とする請求項１〜７のいずれか一項に記載のボトル容器である。
【考案の効果】
【０００９】
以上のように、本考案の請求項１に係る容器では、容器本体に同一高さ付近に設けられた第１凹部と第２凹部とから構成されるグリップ部分を有することから、注出計量操作において滑りがなく把持性が良好であり、内容物を注ぎ易いボトル容器を提供することが可能である。
また、請求項２に係る考案では、第１凹部が、第３の側面側に凹となる略扇形環状体形状部分を含むことにより、使用者に第２指から第５指のすべての指先の引っ掛かり感を与えるため、注出計量操作において把持性が良好であり、内容物を注ぎ易いボトル容器を提供することが可能である。
また、請求項３に係る考案では、第１凹部の略扇形環状体形状部分に形成された指受縁部の曲率半径Ｒ１が３０〜１２０ｍｍであることにより、使用者の第２指から第５指までの形状と適合するため、注出計量操作において把持性が良好であり、内容物を注ぎ易いボトル容器を提供することが可能である。
【００１０】
また、請求項４に係る考案では、第２凹部の最深部から第１凹部までの距離Ａ１が１０〜４５ｍｍであることにより、容器と掌の間に大きな遊びができることもなく、また指先が第１凹部に届かないこともないため、さらには第１凹部の深さＡ２が、第１の側面および／または第２の側面から２〜３０ｍｍであることにより、使用者が指先を軽く曲げた際の引っ掛かりが適切となるため、注出計量操作において把持性が良好であり、滑りがなく、内容物を注ぎ易いボトル容器を提供することが可能である。
また、請求項５に係る考案では、第３の側面から第２凹部の最深部までの深さＢ１が、８〜４０ｍｍであることにより、使用者が第１指間を第２凹部に挿入する際に指先が容器の中心部まで届くため、注出計量操作において滑りがなく把持性が良好なボトル容器の提供が可能である。
【００１１】
また、請求項６に係る考案では、第１凹部と第２凹部の少なくとも一方または両方の表面に、エンボス形状又はリブ形状を有することにより、第１凹部の深さが浅くても、使用者は指先の掛かり感を得られるため、注出計量操作において滑りがないボトル容器の提供をすることが可能となる。
また、請求項７に係る考案では、注出口に注出筒を有するノズルキャップと計量キャップとを備えることにより、使用者は他の計量部材を用意することなく、速やかに注出計量操作を行うことが可能となる。
また、請求項８に係る考案では、収容した内容物が、液体洗浄剤組成物、液体化粧品組成物、液体薬品組成物または液体食品組成物といった計量を要する液体であることにより、内容物の保管、使用時の計量操作が容易となるボトル容器の提供が可能となる。
以上説明したように、本考案のボトル容器によれば、片手で容器を把持して注出計量操作を行うのに適しており、滑りがなく把持性が良好であり、内容物を注ぎ易いボトル容器を提供できる。
【考案を実施するための最良の形態】
【００１２】
以下、本考案の実施形態であるボトル容器について、図面を参照して詳細に説明する。
図１に本考案の実施形態であるボトル容器の斜視図を示す。また、図２および図４に本考案の実施形態のボトル容器の平面図、を示し、図３には図２に示すI−I’線に沿う断面図を示す。
尚、これらの図は本実施形態のボトル容器の構成を説明するためのものであり、図示される各部の大きさや厚さや寸法等は、実際のボトル容器の寸法関係とは異なる。
【００１３】
本実施形態のボトル容器１は、図１に示すように、液体が収容された容器本体２と、容器本体２の上面３の中央に形成された円筒状の注出口部４ｂと、この注出口部４ｂに着脱自在に螺合されたネジキャップ４ａを備えている。
容器本体２は、縦長で若干扁平状に形成された略直方体であり、面積の大きな第１の側面５と、この第１の側面５に対向する第２の側面６と、第１の側面５と第２の側面６とを連結する第３の側面７Ａと第４の側面７Ｂと、底面７Ｃとを有している。
これらのうち、第１の側面５の高さ方向中央部分より若干高い位置で、かつ第１の側面５の幅方向中央部分に第１凹部８が形成され、第２の側面６の中央部分より若干高い位置で、かつ第２の側面６の幅方向中央部分に第１凹部９が形成されている。
また、第３の側面７Ａの高さ方向中央部分より若干高い位置に、先の第１凹部８、９と高さ位置を合わせた第２凹部１０を形成してなるグリップ部１１が形成されている。
【００１４】
第１凹部９は、図２に示すように、容器本体２の第３の側面７Ａに近い側に位置されて、７Ａ側に向かって凹型となり、前記第２凹部１０よりも上下に拡張する大きさに形成された指受縁部９Ａと、この指受縁部９Ａの上縁と下縁において第１の側面６の幅方向に延在された上縁部９Ｂ、下縁部９Ｃと、指受縁部９Ａと反対側に形成されて９Ａと同じ向きに湾曲形成された対向縁部９Ｄとからなる略扇形環状体形状とされている。第１凹部８も、第１凹部９と同様に、指受縁部８Ａ、上縁部８Ｂ、下縁部８Ｃ、対向縁部８Ｄからなる。
【００１５】
第２凹部１０は、その下部側において容器本体２の第３の側面７Ａに対して傾斜しながら連続する曲面形状部分１０ａと、第２凹部１０の最奥部を形成する曲面部分１０ｂと、第３の側面７Ａの上部側に対して傾斜しながら連続する曲面部分１０ｃとからなる丸型の凹部として形成されている。
【００１６】
グリップ部１１は、第１凹部８または第１凹部９のいずれか一方を有していれば良く、第１凹部８〜９を同時に有することがより好ましく、第１凹部８と９が鏡像対称の形状であることが特に好ましい。また、第１凹部８と９を鏡像対称の形状とすることが好ましく、使用者は左右どちらの手を用いても、グリップ部１１を介してボトル容器１を良好に把持することが可能となる。
【００１７】
使用者は主に一方の手で容器本体２を把持し、他方の手でネジキャップ４ａを外し、容器本体２のグリップ部１１を把持した状態で注出操作を行う。
すなわち、一方の手の第１指（親指）の指先は第１凹部８に当て、第２指〜第５指（人差し指〜小指）の指先は第１凹部９に当てる。そして、第１指間部（親指の付け根から人差し指の付け根の部分にわたる掌の部分）を第２凹部１０内に挿入した状態で、容器本体２を第１指と第２〜５指で挟んで把持し、容器本体２を持ち上げることができる。なお、第１指間部は第２凹部１０内に挿入するが、第３の側面７Ａの表面に当てても、当てなくてもかまわない。次に容器本体２を傾倒して、排出口４ｂから収容する液体を外部に注出することができる。
【００１８】
第１凹部８、９の形状は、特に制限されないが、方形、円形、半円形、楕円形、略扇形環状体等が好ましく、良好な把持性をもたらすことから第３の側面７Ａ側に凹となる略扇形環状体とすることがより好ましい。
図４に示すように、第２の側面６に設ける第１凹部９の形状を、第３の側面７Ａ側を中心とした略扇形環状体とする場合は、指受縁部９Ａの曲率半径Ｒ１は３０〜１２０ｍｍが好ましく、４０〜８０ｍｍがより好ましい。指受縁部９Ａの曲率半径Ｒ１が３０〜１２０ｍｍの範囲では、把持する際の第２〜４指（人差し指〜薬指）の遠位関節の位置関係と適合するため、フィット感が高まり、把持性が良好となる。さらに、指受縁部９Ａの曲率半径Ｒ１が４０〜８０ｍｍの範囲では把持性が良好であるとともに内容物の注ぎやすさが良好となる。
【００１９】
第１凹部９の、第２凹部１０の最深部からの距離Ａ１は、図２に示すように、第２凹部１０の最深部である点７ａと、第１凹部９の指受縁部９Ａ上であって、点７ａと同じ高さに位置する点９ａとの距離である。また、第１の側面６内であって、点７ａと点９ａの間の部分を把持部６ａとする。
距離Ａ１は１０〜４５ｍｍの範囲が好ましく、１５〜３０ｍｍの範囲がより好ましい。距離Ａ１が１０ｍｍ未満の場合には、容器側面の抜きテーパーや容器側面間の角Ｒ等を考慮すると把持部６ａ部分の幅が狭くなり、ボトル容器１を把持する際、使用者に指先の痛みや食い込みと言った不快な感触を与え、把持性が低下する場合がある。また、距離Ａ１が４５ｍｍを超えると把持部６ａ部分の幅が広くなり、使用者の手掌サイズに拠っては指が届かない場合がある。一方、距離Ａ１が１５〜３０ｍｍの範囲では、把持部６ａ部分が指を適度に曲げて把持するのに適した幅となることから、把持性が特に良好になる。
【００２０】
また、第１凹部９の深さＡ２（第１凹部８の深さも同じ）は、図３に示すように、第２の側面６の表面と第１凹部９（あるいは第１凹部８）の底部表面との高低差である。
深さＡ２は２〜３０ｍｍの範囲にあることが好ましく、３〜１０ｍｍの範囲にあることがより好ましい。深さＡ２が２ｍｍ未満では、使用者の指に凹凸による物の掛かり感を十分与えることが出来ないため、把持性及び注ぎ易さが低下する。
また、深さＡ２が３０ｍｍを超える場合は、図３に示すように、第１凹部８の底部において使用者の指先が接する点８ｂと、第１凹部９の底部において使用者の指先が接する点９ｂとの、第２凹部１０の最深部をわたった周囲長Ｍが大きくなり、特に使用者が手の小さな女性の場合では第１凹部８、９の底部に指先が届かず握り難くなるため、把持性が低下する。
【００２１】
一方、深さＡ２が３〜１０ｍｍの範囲では、第１凹部８〜９の縁部に使用者の指が掛かり易いと共に、指先が第１凹部８、９の底部８ｂ、９ｂに余裕をもって届くことから把持性が良好であり、注ぎ易さも向上する。また、深さＡ２が３ｍｍ未満では、容器１の持ち上げから傾注への移行の際に、第１凹部８〜９の端部への係り感が不足するため、滑り易さを感じる場合がある。また、深さＡ２が１０〜３０ｍｍの範囲では、第１凹部９に対する指係り感があることから滑り易さの無さでは良好であるが、把持する際の握りの中心が指先に移行するため、把持性及び注ぎ易さが若干低下するおそれがある。
【００２２】
図４に示すように、第１凹部９の高さ（長さ）Ａ３は特に制限されないが、１０ｍｍ以上が好ましく、使用者が女性の場合には標準的な手の幅を考慮して８３ｍｍ以上がより好ましい。また、使用者が男性の場合には９３ｍｍ以上がより好ましい。
Ａ３が最低１０ｍｍであれば指１本が確実に凹みに嵌るため、把持性が良好となる。また、使用者が女性であればＡ３が８３ｍｍ以上、男性であれば９３ｍｍ以上で、第２〜第５指（人差し指〜小指）の全てが凹みに収まる幅となるため、さらに把持性は良好となる。
なお、上記の条件を満たしていれば、第１凹部８〜９の下端は容器底までの任意の位置に延長設定することが出来る。
【００２３】
第２凹部１０は、容器本体２の第３の側面７Ａに、第１の側面５から第２の側面６にわたって切り欠くように設けられている。第１の側面５側あるいは第２の側面６側からみた第２凹部１０の形状は、特に制限されないが、円形、半円形、長円形等が好ましく、図４に示すように、曲率半径Ｒ２を有する曲面部分１０ｃと、曲率半径Ｒ３を有する曲面部分１０ｂと、曲率半径Ｒ４を有する曲面部分１０ａとからなる複合形状とすることがより好ましい。
【００２４】
図４に示すように、第２凹部１０を３つの曲面部分１０ａ、１０ｂおよび１０ｃで形成する場合、曲面部分１０ｃの曲率半径Ｒ２は３０ｍｍ以下であることが好ましい。曲率半径Ｒ２が３０ｍｍ以下であると、容器１を把持して持ち上げる際に、第１指間部が曲面部分１０ａによって上方への滑りを抑制され、安定して把持することができる。次に曲面部分１０ｂの曲率半径Ｒ３は１０ｍｍ以上であることが好ましい。曲率半径Ｒ３が１０ｍｍ以上であると、第１指間部を第２凹部１０の奥まで挿入できるため、容器１の重心点に把持部分を近づけるので、容器１を傾けたときに女性でも安定支持できる。さらに曲面部分１０ａの曲率半径Ｒ４は５０〜１５０ｍｍであることが好ましい。曲率Ｒ４が５０〜１５０ｍｍであると、曲面部分１０ｃが掌へのフィット感をもたらし、容器１を傾けたときに掌によって過剰な傾斜を抑制することができるため、特に注出口部４ｂが細長い場合に、注出するときに少しでも傾きが変わると周囲に内容物がこぼれてしまうおそれを解消して、こぼさずに注出できる。
【００２５】
図２に示すように、第３の側面７Ａから第２凹部１０の最深部までの深さＢ１は、８〜４０ｍｍの範囲であることが好ましく、１２〜２５ｍｍの範囲であることがより好ましい。
深さＢ１が８ｍｍ未満では、使用者は第１指間への掛かり感を多少感じるが、容器本体２の第１指間への引っ掛かりが不十分であるため、把持性が低下する場合がある。また、深さＢ１が４０ｍｍを超えると、容器本体２を把持した時点での手首の回内角が大きくなり、これに合わせて注出操作での手首のひねりが大きくなることから、注ぎ易さが低下する場合がある。一方、深さＢ１を１２〜２５ｍｍの範囲とすることで、十分な第１指間への掛かりを提供すると共に、初期の手首の回内角が適切で吐出操作性も向上する。
また、第２凹部１０が存在することにより、使用者の第１指と第２指間の掌の部分が容器本体２の重心点に近づくように使用者が容器本体２を把持するので、注出操作の途中で容器本体２を傾けていく過程において、内容物の移動に伴う重心点の変動分が手首に急に作用する場合がすくなくなることによって、容器本体２を傾けたときの過剰な傾斜を抑制できる。
【００２６】
注ぎ易さを向上させるため、図４に示すように、第１凹部９の上端の開始高さＡ４および第２凹部１０の上端の開始高さＢ２は、容器本体２の肩部高さＨに対して、５０〜９０％の範囲にあることが好ましく、７５〜９０％の範囲にあることがより好ましい。
注ぎ易さには主として容器の傾け易さと計量キャップへの容器の近付け易さの２因子が大きく影響する。
【００２７】
まず、開始高さＡ４および開始高さＢ２を容器本体２の肩部高さＨに対して９０％以上の範囲とすると、ボトル容器１の計量キャップへの近付け易さは向上するものの、重心と傾注の際の回転中心が離れるためボトル容器１の傾け易さは低下する。
一方、開始高さＡ４および開始高さＢ２を、容器本体２の肩部高さＨの５０％に近付けるほどボトル容器１の計量キャップへの近付け易さは低下するが、ボトル容器１の重心と傾注の際の回転中心が近づくため、傾け易さは向上する。
したがって、注ぎ易さは傾け易さより計量キャップへの近付け易さの影響が大きいことから、第１凹部９の上端の開始高さＡ４および第２凹部１０の上端の開始高さＢ２は、容器本体２の肩部高さＨに対して７５〜９０％間に設定することで、注ぎ易さが向上するため、より好ましい。
【００２８】
第１凹部８〜９と第２凹部１０の形成位置が容器本体２内で大きく乖離すると、グリップ部１１が適切に機能を発揮しないため、第１凹部８〜９と第２凹部１０は、同一高さ付近に設けるとともに、適切な位置関係となるように配置することが好ましい。
ただし、本考案の効果を発揮する第１凹部８、９および第２凹部１０は、上記した形状に限定される物ではない。
【００２９】
容器本体２は、ポリエチレン、ポリプロピレン等のオレフィン類、ポリエチレンテレフタレートやポリ乳酸等のポリエステル類等の熱可塑性樹脂を定法に従いブロー成型して製造することが出来る。また、容器本体２の第１の側面５、第２の側面６および第３の側面７Ａに付与する第１凹部８〜９および第２凹部１０はブロー型に凸形状を削り出すことにより成型可能なため、通常の２プレート金型を用いて製造可能であり、把手付き容器製造で必要となるスライドコア金型や専用成型機が不要なだけでなく、打ち抜き行程も必要としない。容器本体２の満注内容量は、片手で把持可能なサイズであることが好ましく、５００ｍｌ〜２０００ｍｌがより好ましく、１０００ｍｌ〜１５００ｍｌが特に好ましい。例えば、満注内容量１５００ｍｌの場合は、１２ｃｍ×５．６ｃｍ×２２ｃｍのボトル容器を例示することができ、高密度ポリエチレンを用いたブロー成型ボトルでは６０ｇ程度の樹脂量で成型し、胴部肉厚０．４〜１．５ｍｍとすることで製造可能である。
なお、上記材質、製造方法、満注内容量、樹脂量、肉厚等は一例であり、これに制約される物ではない。
【００３０】
本実施形態では、容器本体２の容量、形状によって、第１凹部８〜９と第２凹部１０の最適な構成および組み合わせを変更することが可能である。
グリップ部１１の把持のしやすさは、図３に示すように、容器本体２を構成する第３の側面７Ａの幅Ｌ１および、第１凹部８の底部において指先が接する点８ｂと、第１凹部９の底部において指先が接する点９ｂとの、第２凹部１０の最深部をわたった周囲長Ｍが要因となる。
【００３１】
図３に示すように、第３の側面７Ａの幅Ｌ１は、第２の側面６の幅Ｌ２よりも狭いことが好ましく、２〜９ｃｍがより好ましく、使用者が女性の場合には３〜６ｃｍが特に好ましい。
幅Ｌ１が２ｃｍ未満であると、把持する際に指全体を使って挟むことができずに指先部分に応力が集中するため、把持性が悪化する。また、Ｌ１が９ｃｍを越えると、第１指と第２指〜第５指の指先同士の間隔が広がりすぎて挟みづらくなるため、把持性が悪化する。幅Ｌ１が２〜９ｃｍであると、指全体を使っての把持が可能となり、把持性が向上するため好ましい。
【００３２】
また、周囲長Ｍは６〜１５ｃｍであることが好ましく、８〜１２ｃｍであることがより好ましい。周囲長Ｍが６ｃｍ未満であると、使用者の第１指と第２指とにわたる周囲長の距離よりも小さすぎるため、前記幅Ｌ１が２ｃｍ未満の場合と同様に把持性が悪化する。周囲長Ｍが、１５ｃｍを越えると、身長１５０ｃｍの女性の第１指から第２指までの距離の平均１５ｃｍを超えてしまうため、第１凹部８〜９の底部に指先が届かない場合があり、把持性が悪化する。一方、周囲長Ｍが６〜１５ｃｍであると、使用者は指全体を使って把持することが可能となることから好ましい。さらに、使用者が女性の場合には、周囲長Ｍが８〜１２ｃｍであると、把持性が向上することから好ましい。
【００３３】
また、図３に示すように、第３の側面７Ａから第１凹部９の底部において指先が接する点９ｂの幅Ｌ３が、第２の側面６の幅Ｌ２に対して、３５％以上であることが好ましく、４５％以上であることがより好ましく、５０％以上であることが特に好ましい。
幅Ｌ３が３５％未満であると、容量が大きい容器ではボトル容器１の把持性が低下し、傾倒時にボトル容器１の重心と回転中心が離れるために注ぎ易さも低下するため好ましくない。一方、４５％以上であると、指先が第１の側面５および第２の側面６の幅方向の中心部分となり、傾倒時にボトル容器１の重心と回転中心が近づき、注ぎ易さが向上するため好ましい。さらに５０％以上であると、第１の側面５および第２の側面６の幅方向の中心部分を超えた位置で把持することが可能となるため、把持性が向上するとともに傾注時にも安定するため注ぎ易さが向上するため、より好ましい。
ここで、幅Ｌ３は、前述の幅Ｌ１および周囲長Ｍの最適範囲を満たしていることが好ましい。
【００３４】
容器１の容量が少ない場合、例えば幅Ｌ１および幅Ｌ２が小さい場合では、第２凹部の最深部の深さＢ１を大きくしなくても、使用者の指先は幅Ｌ２に対して５０％以上の幅Ｌ３まで到達させることが可能となる。
一方、容器の容量が多い場合、例えば幅Ｌ１および幅Ｌ２が大きい場合では、第２凹部の最深部の深さＢ１を大きくすることで、使用者は第１指間を第２凹部内に挿入することにより、指先を幅Ｌ２に対してより大きな幅Ｌ３に到達させることが可能となる。したがって、幅Ｌ１の限度において、第２凹部の深さＢ１を調節することで、周囲長Ｍと幅Ｌ３の調整が可能となり、把持性が良く、注ぎ易いボトル容器１の提供が可能となる。
【００３５】
本実施形態では、第１凹部８〜９の底部及び第３の側面７Ａ表面の第２凹部１０部分にエンボス又はリブ形状を付与することができる。エンボス又はリブ形状の付与により、手指との間の摩擦を増加させ、滑りの無さを向上させることが可能となる。特に第１凹部８〜９の深さＡ２が１０ｍｍ未満の場合であって、指への係り量が少ない場合に、エンボス又はリブ形状を付与することが好ましい。
図５（Ａ）〜（Ｄ）はエンボス形状の例を示した図であり、図６（Ａ）〜（Ｄ）はリブ形状の例を示した図である。図５中の（Ｂ）に示す丸型エンボス５０ｂ及び図６中の（Ａ）に示す波型リブ６０ａが、指へ掛かり感と良好な当たり心地を与え、滑りの無い点で好ましい。なお、図５および図６に示した種々の形状（三角形エンボス５０ａ、方形エンボス５０ｃ、六角形エンボス５０ｄ、ハニカムリブ６０ｂ、直線リブ６０ｃ、井桁リブ６０ｄ等）についても、滑りの無さを向上させることが可能である。なお、エンボス形状およびリブ形状はここに上げた形状に制約される物ではなく、また、デボス形状によっても同様の効果が得られる。
エンボス形状およびリブ形状の製造方法は特に制限されないが、第１凹部８〜９および第２凹部１０の製造方法と同様に、金型に凹凸を刻み定法に従いブロー成型により製造可能である。また、樹脂やエラストマー等を印刷や吹き付ける方法で付加する製造方法を採用することが可能である。
【００３６】
本実施形態では、図１に示すように、注出口部４ｂにネジキャップ４ａが設けられているが、本考案はこれに制限されない。
一般に計量操作では片手で計量容器を持って行うことから、容器本体は片手で把持する必要がある。さらに、吐出計量用のボトル容器では、内容物の吐出速度は容器の傾倒によって制御することが必要であるため、通常の容器と比較して注ぎ易さに対する要求が高い。また、計量操作時間が長くなりがちであるため、良好な把持性も求められる。
本考案ではネジキャップ４ａに変えて、あらかじめ計量キャップを備えていることが好ましい。これにより、容器から計量キャップを着脱し、速やかに計量操作に移行することが可能となり、容器の把持時間を短縮することが可能となる。
また、注出口部４ｂには、ノズルキャップを用いることにより注ぎ易さの向上を図ることも可能である。なお、これに用いるノズル形状については円形、Ｕ字型、Ｖ字型等があるが、一例であり、これに限られる物ではない。
【００３７】
図１６はボトル容器に備えられた注出部材を示す平面図（Ａ）、およびボトル容器の側断面図（Ｂ）である。
この液剤注出容器２１は、プラスチック製の容器本体２１０の頂部に、内容液注出用の注出筒２２１を有するノズルキャップ２２０が固定され、このノズルキャップ２２０の外ネジ部２２４に、上記の注出筒２２１を離間して覆う有蓋筒状の計量キャップ２３０がこれに形成された内ネジ部２３２によって着脱自由に螺合され装着されている。
容器本体２１０とノズルキャップ２２０とは、互いのロック歯機構２１１によって、逆転不能に螺合され固定されている。
【００３８】
図１７は、図１６のノズルキャップ２２０に備えられた注出筒２２１を示す斜視図である。
ノズルキャップ２２０において注出筒２２１は、図１６及び図１７に示すように、基部２２１ｂから先端にかけて先窄まり状に形成されて、先端に注ぎ口２２１ａを有している。
この注出筒２２１の先端部は、後述する筒状壁部２２５より上方に突出している。
また、注出筒２２１の基部２２１ｂからは、その周囲になだらかな曲面部２２２ｒが形成されて、この曲面部２２２ｒにより接続された環状の注出筒底部２２２が広がっている。この注出筒底部２２２は、注出筒軸心を挟んで上記の注ぎ口２２１ａと反対の方向に下降するように傾斜して成形され、この傾斜した下端部に、容器本体２１０内に通じる貫通孔２２３が形成されている。また、注出筒２２１の側面には、注ぎ口２２１ａから基部２２１ｂを経て貫通孔２２３に至るスリット２２３ａが形成されており、注出筒２２１の内外が連通するようになっている。
【００３９】
スリット２２３ａの開度は、段階的に異なり、しかも基部２２１ｂ側の開度Ｗ４より注ぎ口２２１ａ側の開度Ｗ３が大きくなるように形成されている。
【００４０】
図１６（Ｂ）に示すように、注出筒底部２２２の周辺はなだらかな曲面部２２２ｒを形成して上方に立ち上がり、この曲面部２２２ｒに連続した筒状壁裾部２２５Ａを介して筒状壁部２２５を形成している。
また、この筒状壁部２２５の上方には、上方に拡径するテーパー部２２５ｂを経由して同心的に延びる筒状の外ネジ部２２４が形成されている。
【００４１】
計量キャップ２３０は、図１６（Ｂ）に示すように、ノズルキャップ２２０に装着されたとき開口部が下向きとなるカップ状本体の外壁面２３３の高さ方向中間部にフランジ２３４を有し、このフランジ２３４の先端に、ノズルキャップ２２０の外ネジ部２２４と螺合する筒状の内ネジ部２３２が形成され、この内ネジ部２３２を外ネジ部２２４に螺合することにより、計量キャップ２３０がノズルキャップ２２０に装着され、装着された状態では、計量キャップ２３０の本体は環状空間２２６に挿入される。
【００４２】
この実施形態のボトル容器２１の容器本体２１０内には、例えば液体薬品、液状食品、液体洗剤、液体漂白剤等の液剤が充填され、本実施形態の液剤製品とされている。
この液剤製品は、ボトル容器２１に備えられた計量キャップ２３０を廻して外し、注出筒２２１の注ぎ口２２１ａを下側にして容器本体２１０を傾けると、注出筒２２１から液剤（内容液）が流出するとともにスリット２２３ａおよび貫通孔２２３から外気が容器本体２１０内に導入されるので、注ぎ口２２１ａから息継ぎすることなく円滑に内容液が注出できる。このとき、注ぎ口２２１ａには液剤案内部２２８が形成されているので、液剤は液剤案内部２２８を伝って計量キャップ２３０に流下するので、注ぎ易く、また、液だれも防止できる。注出された液剤は計量キャップ２３０に受けて計量することができる。
【００４３】
計量キャップ２３０内に分取された液剤が他に移されたのち、計量キャップ２３０はノズルキャップ２２０の外ネジ部２２４にねじ込まれる。このとき、計量キャップ２３０の内壁には液剤が付着して残留しており、この液剤は計量キャップ２３０の口縁から注出筒底部２２２に垂れ落ちる。また、注出筒２２１から注出する液剤量が多いときは注ぎ口２２１ａから注出筒２２１の外壁に液剤が回り込むことがあるが、この場合液剤は注出筒２２１の外壁面を伝って円滑に注出筒底部２２２に向けて流下する。
【００４４】
このように本実施形態のボトル容器２１は、上部スリット２２３ｂと下部スリット２２３ｃの境界部分には開度が緩やかに変化する詰め替え容器用案内部２２７が形成されたことにより、２５℃における粘度が１０ｍＰａ・ｓ乃至３００ｍＰａ・ｓの範囲内である液剤を充填する場合でも適している。
【００４５】
本実施形態では、ボトル容器１に収容される内容物は、特に制限されず、液体洗浄剤組成物、液体化粧品組成物、液体薬品組成物または液体食品組成物であることが好ましい。
より具体的には、台所用洗剤や住居用洗剤などの液体洗剤、衣料用漂白剤や台所用漂白剤などの漂白剤、柔軟仕上げ剤、液体石鹸、シャンプー、リンス、整髪料、洗顔剤、口腔洗浄剤、液体歯磨き、各種液状香料、液状化粧品などの液体製品を例示することができる。或いは、ドレッシングや、醤油、清涼飲料水などの食料品を例示することができる。
【００４６】
以上のようにして、本実施形態では、容器本体２に第１凹部８〜９と第２凹部１０を同時に付与することでグリップ部１１を形成し、使用者がボトル容器１を把持する際に指先と第１指間部に加重が分散されると共に、ボトル容器１の持ち上げから注出計量の双方の操作において指先への掛かり感を感じることが可能となり、把持性と滑りの無さが向上する。
また、従来のボトル容器では容器の微小な傾斜の制御が難しく、注出口部４ｂが液剤案内部２２８のように細長いと、容器本体２を少し傾けただけで内容物が一気に液剤案内部２２８やスリット部からあふれ出てしまうおそれがある。しかし、本実施形態のように容器本体２がグリップ１１を有することによって、ボトル容器１のより重心近くを把持することが可能であり、第２凹部９により容器鉛直軸に対しやや回内した状態で容器本体２を把持することが出来、注ぎ易さが向上しているため、容器が液剤案内部２２８のように細長い注出口部４ｂを有している場合であっても、容器を把持しやすく、注出のための容器本体の微小な傾斜を制御することができ、内容物をこぼすことなく注出することができる。
したがって、片手で容器を把持して吐出計量操作を行うのに適しており、滑りがなく把持性が良好であり、内容物を注ぎ易いボトル容器１を提供することが可能となる。
【実施例】
【００４７】
以下、実施例により本考案の効果をより明らかなものとする。なお、本考案は、以下の実施例に限定されるものでなく、その要旨を変更しない範囲で適宜変更して実施することができる。
実施例１〜２５および比較例１〜５ではボトル容器を実際に作製し、このボトル容器に液体洗浄剤組成物を収容して、吐出計量操作の際の把持性、滑りのなさおよび注ぎ易さについて評価試験を行った。
【００４８】
＜評価サンプルの作製＞
ボトル容器は、以下の手順によって製造した。
高密度ポリエチレン約６０ｇを、満注内容量約１５００ｍＬ、胴部肉厚０．４〜１．５ｍｍとなるように、常法に従ってブロー成型した。また、ネジキャップ、ノズルキャップ及び計量キャップ（３０ｍＬ）は、ポリプロピレンを常法に従って射出成型して作成した。
内容液は、市販液体衣料用洗剤（ライオン（株）リキッドトップ）を１．１Ｋｇ充填した。なお、粘度は２５℃においてＢＬ型粘度計（東京計器製）Ｎｏ．１ローターにて３０ｒｐｍ，１ｍｉｎでの測定値８０ｍＰａ・Ｓであった。
【００４９】
＜評価法＞
評価は、女性専門パネラー１０名で、計量キャップに約３０ｍＬを計り取る際の把持性、滑りの無さおよび注ぎ易さを官能評価し、以下の評価基準に基づいて評価を行った。
（評価基準）
◎：良判定９〜１０名
○：良判定７〜８名
△：良判定４〜６名
×：良判定０〜３名
【００５０】
＜評価１：ネジキャップ型ボトル容器の評価＞
（実施例１〜２２及び比較例１〜５）
図７（Ａ）は実施例１〜２２のボトル容器の平面図であり、図７（Ｂ）は図７（Ａ）に示すII−II’線に沿う断面図である。また、図８（Ａ）〜図１２（Ａ）は、それぞれ比較例１〜５のボトル容器の正面図であり、図８（Ｂ）〜図１２（Ｂ）は、それぞれ図８（Ａ）〜図１２（Ａ）に示すIII−III’〜VII−VII’線に沿う断面図である。
実施例１〜２２は、図７（Ａ）に示すように、注出口部４ｂとネジキャップ４ａを備えたボトル容器であり、指受縁部９１Ａと、上縁部９１Ｂと、対向縁部９１Ｄと、指受縁部９１Ａの下端から垂直方向に延在し、容器底面７Ｃに到達する縁部９１Ｅと、対向縁部９１Ｄの下端から垂直方向に延在し、容器底面７Ｃに到達する縁部９１Ｆから形成され、下縁部を有さない第１凹部９１と第２凹部１０を有しているボトル容器１２である。
比較例１は、図８に示すように、第１凹部および第２凹部のいずれも有さないボトル容器１３である。
比較例２は、図９に示すように、第１凹部９２を有するが、第２凹部を有さないボトル容器１４である。
比較例３は、図１０に示すように、第２凹部１０を有するが、第１凹部を有さないボトル容器１５である。
比較例４は、図１１に示すように、第１凹部および第２凹部のかわりに、容器本体１０１を貫通する孔１０１ａを形成して、残りの部分である把手部分１０２を有するボトル容器１６である。
比較例５は、図１２に示すように、第１凹部９２を有するが、第３の側面７Ａに第２凹部を有さないが、第４の側面７Ｂの下部に深さＣ１である凹部１０３を有するボトル容器１７である。
実施例１〜２２及び比較例１〜５は、ボトル容器の第１凹部の第３側面からの距離Ａ１（ｍｍ）、第１凹部の深さＡ２（ｍｍ）、第１凹部の指受縁部の曲率半径Ｒ１および第３の側面から第２凹部の最深部までの深さＢ１を下表１〜３に示す寸法でそれぞれ作製した。
なお、表３中の凹部は、図１２に示すように、第４の側面７Ｂに設けられた凹部１０３であり、深さＣ１（ｍｍ）は、第４の側面７Ｂからの凹部１０３の最深部までの深さを指す。
【００５１】
【表１】
0003134790.tif 000003
【００５２】
【表２】
0003134790.tif 000004
【００５３】
【表３】
0003134790.tif 000005
【００５４】
表３に示す評価結果から、第１凹部と第２凹部を同時に付与されていない比較例１〜３では、把持性、滑りの無さおよび注ぎ易さをすべて満足する評価結果は得られなかった。また、把手を有する比較例４では、把持性と滑りの無さでは良い評価となったが、注ぎ易さでは良い評価が得られなかった。さらに、第２の凹部とは別の凹部を設けられた比較例５では、第１凹部と別の凹部は別の手で持つために設けられているため、片手での把持性や滑りの無さについて良い評価が得られなかった。
これに対して、実施例１〜２２のサンプルでは、いずれも本考案の条件を満足しており、把持性、滑りの無さおよび注ぎ易さについて、いずれも良好な評価が得られた。
【００５５】
なお、実施例１〜２２において、第１凹部９１の指受縁部９１Ａの曲率半径Ｒ１が、３０ｍｍ未満の実施例１１および１２０ｍｍより大きい実施例１６では、把持性が○評価であるのに対して、Ｒ１が３０〜１２０ｍｍの範囲では、把持する際のフィット感が高まるため、把持性が◎評価であり、より良好な結果が得られた。さらにＲ１が４０〜８０ｍｍの範囲では、注ぎ易さについても◎評価であり、さらに良好な結果が得られた。
また、第１凹部９１の第３側面１０からの距離Ａ１が、４５ｍｍより大きい実施例５では、把持部６ａ部分の幅が広いため、把持性が○評価であるのに対して、Ａ１が１０〜４５ｍｍの範囲である実施例１と実施例４では、把持性が◎評価であり、良好な結果が得られた。さらにＡ１が１５〜３０ｍｍの範囲である実施例２と実施例３では、把持部６ａ部分が指を適度に曲げて把持するのに適した幅となることから、把持性ともに注ぎ易さが◎評価となりさらに良好な結果が得られた。
【００５６】
また、第１凹部９１の深さＡ２が、２ｍｍ未満である実施例６および、３０ｍｍより大きい実施例１０では、把持性および滑りの無さが○評価であるが、Ａ２が２〜３０ｍｍの範囲である実施例７〜９は把持性および／または滑りの無さが◎評価となり良好な結果が得られた。さらにＡ２が３〜１０ｍｍの範囲である実施例８では、第１凹部９１の指受縁部９１Ａに使用者の指が掛かり易いと共に、指先が第１凹部９１の底部９１ｂに余裕をもって届くことから把持性が良好であることから、すべて◎評価となり、さらに良好な結果が得られた。
また、第２凹部１０の最深部までの深さＢ１が、８ｍｍ未満である実施例１７および４０ｍｍよりも大きい実施例２２では、把持性が○評価であるのに対して、Ｂ１が８〜４０ｍｍの範囲である実施例１８〜２１では、把持性が◎評価となり、良好な結果が得られた。さらに、Ｂ１が１２〜２５ｍｍの範囲である実施例１９、２０では、十分な第１指間への掛かりを提供すると共に、初期の手首の回内角が適切で吐出操作性も向上するため、把持性とともに注ぎ易さも◎評価となり、さらに良好な結果が得られた。
【００５７】
＜評価２：計量キャップ型ボトル容器の評価＞
（実施例２３）
図１３（Ａ）は実施例２３のボトル容器の平面図であり、図１３（Ｂ）は図１３（Ａ）に示すVIII−VIII’線に沿う断面図である。実施例２３では、表４に示すように、ボトル容器の第１凹部の第３側面からの距離Ａ１、第１凹部の深さＡ２、第１凹部の扇形の半径Ｒ１および第３の側面から第２凹部の最深部までの深さＢ１は、表１中の実施例８と同一であり、図７（Ａ）に示す実施例８のネジキャップ４ａに変えて、ノズルキャップ４１ｂおよび計量カップ４１を付与したボトル容器１８を作製した。評価結果を表４に示す。
【００５８】
【表４】
0003134790.tif 000006
【００５９】
表４に示す結果から、実施例２３についても実施例８と同様に、把持性、滑りの無さおよび注ぎ易さについて、いずれも良好な評価結果が得られた。以上より、計量キャップ型ボトル容器でも操作性が良好なボトル容器を提供することが可能となる。
【００６０】
＜評価３：エンボス又はリブ付与ボトル容器の評価＞
（実施例２４〜２５）
図１４（Ａ）は、実施例２４のボトル容器１９の正面図であり、図１４（Ｂ）は、実施例２４のボトル容器１９の右側面図を示した図である。また、図１５（Ａ）は、実施例２５のボトル容器２０の正面図であり、図１５（Ｂ）は、実施例２５のボトル容器２０の右側面図である。
表５に示すように、実施例２４および実施例２５は、表４中の実施例２３の計量キャップ型ボトル容器１８の第１凹部の深さＡ２を１０ｍｍから５ｍｍに変更したサンプルを実際に作製したものである。
また実施例２４は、図１４に示すように、第１凹部および第２凹部の表面に、直径４ｍｍ、高さ２ｍｍの半球上５０ｂのエンボスを１０ｍｍ間隔で付与したボトル容器１９である。
さらに実施例２５は、図１５に示すように、第１凹部および第２凹部の表面に、高さ２ｍｍ、振幅４ｍｍの波型リブ６０ａを４ｍｍ毎に付与したボトル容器２０である。評価結果を表５に示す。
【００６１】
【表５】
0003134790.tif 000007
【００６２】
表５に示す結果から、実施例２４および実施例２５は、第１凹部の深さＡ２が５ｍｍであっても、エンボス形状またはリブ形状を付与することで滑りの無さの評価が向上した。したがって、エンボス又はリブ形状を付与することで、操作性が良好なボトル容器の提供が可能となる。
【産業上の利用可能性】
【００６３】
本考案は、吐出計量操作を要するボトル容器に対して幅広く適用することが可能であり、上述した液体洗浄剤組成物、液体化粧品組成物、液体薬品組成物または液体食品組成物以外にも、薬品といった計量を必要とする液体等を収容したものに対して好適に用いることが可能である。
さらに、本考案は、口頸部が設けられた容器本体と、この容器本体の口頸部に装着されて容器本体に収容された液体を注出するボトル容器に対して幅広く適用することが可能である。
【図面の簡単な説明】
【００６４】
【図１】本考案の実施形態であるボトル容器の斜視図である。
【図２】本考案の実施形態のボトル容器の平面図である。
【図３】図２に示すI−I’線に沿う断面図である。
【図４】本考案の実施形態のボトル容器の平面図である。
【図５】エンボス形状の例（Ａ）〜（Ｄ）を示した図である。
【図６】リブ形状の例（Ａ）〜（Ｄ）を示した図である。
【図７】図７（Ａ）は実施例１〜２２のボトル容器の平面図であり、図７（Ｂ）は図７（Ａ）に示すII−II’線に沿う断面図である。
【図８】図８（Ａ）は比較例１のボトル容器の平面図であり、図８（Ｂ）は図８（Ａ）に示すIII−III’線に沿う断面図である。
【図９】図９（Ａ）は比較例２のボトル容器の平面図であり、図９（Ｂ）は図９（Ａ）に示すIV−IV’線に沿う断面図である。
【図１０】図１０（Ａ）は比較例３のボトル容器の平面図であり、図１０（Ｂ）は図１０（Ａ）に示すV−V’線に沿う断面図である。
【図１１】図１１（Ａ）は比較例４のボトル容器の平面図であり、図１１（Ｂ）は図１１（Ａ）に示すVI−VI’線に沿う断面図である。
【図１２】図１２（Ａ）は比較例５のボトル容器の平面図であり、図１２（Ｂ）は図１２（Ａ）に示すVII−VII’線に沿う断面図である。
【図１３】図１３（Ａ）は実施例２３のボトル容器の平面図であり、図１３（Ｂ）は図１３（Ａ）に示すVIII−VIII’線に沿う断面図である。
【図１４】図１４（Ａ）は、実施例２４のボトル容器の正面図であり、図１４（Ｂ）は、実施例２４のボトル容器の右側面図を示した図である。
【図１５】図１５（Ａ）は、実施例２５のボトル容器の正面図であり、図１５（Ｂ）は、実施例２５のボトル容器の右側面図である。
【図１６】図１６はボトル容器に備えられた注出部材を示す平面図（Ａ）、およびボトル容器の側断面図（Ｂ）である。
【図１７】図１６の注出部材２０に備えられた注出筒２１を示す斜視図である。
【符号の説明】
【００６５】
１・・・ボトル容器、２・・・容器本体、３・・・容器本体の上面、４・・・ネジキャップ、５・・・第１の側面、６・・・第２の側面、７Ａ・・・第３の側面、７Ｂ・・・第４の側面、７Ｃ・・・容器本体の底面、８，９・・・第１凹部、９Ａ・・・指受縁部、９Ｂ・・・上縁部、９Ｃ・・・下縁部、９Ｄ・・・対向縁部、１０・・・第２凹部、１１・・・グリップ部、７ａ・・・第２凹部の最深部の点、９ａ・・・第１凹部９の指受縁部９Ａ上であって、点７ａと同じ高さに位置する点、８ｂ，９ｂ・・・第１凹部の底部において指先が接する点、１０ａ・・・第２凹部１０の下部を形成する曲面部分、１０ｂ・・・第２凹部１０の最奥部を形成する曲面部分、１０ｃ・・・第２凹部１０の上部を形成する曲面部分、Ａ１・・・第１凹部の第３凹部最深部からの距離、Ａ２・・・第１凹部の深さ、Ａ３・・・第１凹部の高さ、Ａ４・・・第１凹部の上端の開始高さ、Ｂ１・・・第３の側面から第２凹部の最深部までの深さ、Ｂ２・・・第２凹部の上端の開始高さ、Ｃ１・・・第３の側面に対向する面からの凹部の最深部の深さ、Ｈ・・・容器本体の肩部高さ、Ｌ１・・・第３の側面の幅、Ｌ２・・・第２の側面の幅、Ｌ３・・・第３の側面から点９ｂの幅、Ｍ・・・８ｂと９ｂとの、第２凹部最深部をわたった周囲長、Ｒ１・・・指受縁部９Ａの曲率半径、Ｒ２・・・曲面１０ｃの曲率半径、Ｒ３・・・曲面１０ｂの曲率半径、Ｒ４・・・曲面１０ａの曲率半径
【図１】
0003134790.tif 000008
【図２】
0003134790.tif 000009
【図３】
0003134790.tif 000010
【図４】
0003134790.tif 000011
【図５】
0003134790.tif 000012
【図６】
0003134790.tif 000013
【図７】
0003134790.tif 000014
【図８】
0003134790.tif 000015
【図９】
0003134790.tif 000016
【図１０】
0003134790.tif 000017
【図１１】
0003134790.tif 000018
【図１２】
0003134790.tif 000019
【図１３】
0003134790.tif 000020
【図１４】
0003134790.tif 000021
【図１５】
0003134790.tif 000022
【図１６】
0003134790.tif 000023
【図１７】
0003134790.tif 000024